(57)【要約】 【課題】ノイズレベルを低下させ省エネタイプのエアコンを提供すること。【解決手段】  本発明の天井埋め込み型のエアコンは、（Ａ）熱交換器１と、（Ｂ）換気手段２と、（Ｃ）ケース３と、（Ｄ）蓄熱／放熱板４とを有する。    前記熱交換器１は、フィン１１とパイプ１２とで形成され、前記パイプ１２内を冷熱媒体が循環し、前記換気手段２は、大気から空気を吸い込み、吸い込んだ空気を前記熱交換器１を介して放出し、前記ケース３は、吸入口３１と吹出口３２を具備し、前記熱交換器１と前記換気手段２とを収納し、前記換気手段２は、複数のファン２で形成され、前記複数のファン２は、直流電流で駆動され、前記ケース３の前壁３３の中心にして隣接して配置され、前記前壁３３の吹出口３２に直交する方向を向いている。【選択図】  図１
2012530893.tif 000002
【特許請求の範囲】
【請求項１】
（Ａ）熱交換器（１）と、
（Ｂ）換気手段（２）と、
（Ｃ）ケース（３）と、
（Ｄ）蓄熱／放熱板（４）と、
を有する天井埋め込み型のエアコンにおいて、
前記熱交換器（１）は、フィン（１１）とパイプ（１２）とで形成され、前記パイプ（１２）内を冷熱媒体が循環し、
前記換気手段（２）は、大気から空気を吸い込み、吸い込んだ空気を前記熱交換器（１）を介して放出し、
前記ケース（３）は、吸入口（３１）と吹出口（３２）を具備し、前記熱交換器（１）と前記換気手段（２）とを収納し、
前記換気手段（２）は、複数のファン（２）で形成され、
前記複数のファン（２）は、直流電流で駆動され、前記ケース（３）の前壁（３３）の中心を挟んで隣接して配置され、前記前壁（３３）の吹出口（３２）に直交する方向を向いており、
前記熱交換器（１）は、複数の熱交換モジュール（１３，１４）で形成され、
前記複数の熱交換モジュール（１３，１４）は、前記換気手段（２）の側面に並列に配置され、
前記吸入口（３１）は、前記熱交換モジュール（１３，１４）の外側に配置され、      前記蓄熱／放熱板（４）は、前記ケース（３）の前壁（３３）から離れた位置に配置され、前記熱交換器（１）により冷却又は暖められた空気を、前記ケース（３）の周囲（３４）と前記蓄熱／放熱板（４）の周囲の間の空間から拡散する
ことを特徴とする天井埋め込み型のエアコン。
【請求項２】
前記蓄熱／放熱板（４）は、金属、ガラス、プラスチック材料のいずれかの材料で形成される
ことを特徴とする請求項１記載のエアコン。
【請求項３】
前記換気手段（２）は、前記ケース（３）にゴム製のブロック（５）で取り付けられ、前記吹出口（３２）をカバーするシリコン製シート（６）を貫通する
ことを特徴とする請求項１記載のエアコン。
【請求項４】
前記熱交換モジュール（１３，１４）にそれぞれ付属するパイプ（１２）は、互いに端部で連結されている
ことを特徴とする請求項１記載のエアコン。
【請求項５】
前記パイプ（１２）の自由端は、モーター駆動の四方向バルブ（１５）に連結されている
ことを特徴とする請求項４記載のエアコン。
【請求項６】
前記熱交換モジュール（１３，１４）は、複数のパイプ（１２）を有し、
第１のパイプ（１２）は、冷熱媒体の熱により暖められ、
第２のパイプ（１２）は、冷熱媒体の冷気により冷やされ、
前記パイプ（１２）の自由端は、四方向バルブに連結されている
ことを特徴とする請求項４，５のいずれか記載のエアコン。
【請求項７】
前記吸入口（３１）は、フィルタ（１０）を具備し、
前記フィルタ（１０）は、前記ケース（３）内で、前記前記蓄熱／放熱板（４）の底部から離れた位置で、かつ前記ケース（３）が取り付けられる壁（９）から離れて配置されており
前記吸引ヘッド（７）は、軸方向に伸びた溝（７１）を具備し、室内の真空クリーナーのチューブ（７２）に直接連結されている
ことを特徴とする請求項１記載のエアコン。
【請求項８】
（Ｅ）凝縮液回収翼（３６）を更に具備し、
前記凝縮液回収翼（３６）は、前記熱交換モジュール（１３，１４）の前面のトレイ（３７）に凝縮液を排出する
ことを特徴とする請求項１記載のエアコン。
【請求項９】
（Ｆ）手動又は自動の温度調整手段を更に有し、
前記温度調整手段は、以下の条件に応じて動作する、
（ｉ）大気と基準温度との間の温度差、
（ｉｉ）吸引空気の温度が大気温以下の時には、暖房モードの換気を停止するような換気速度、
（ｉｉｉ）前記モーター駆動の四方向バルブの状態
ことを特徴とする請求項１記載のエアコン。
【請求項１０】
（Ｇ）電気による補助加熱装置を更に有し、
前記電気による補助加熱装置は、暖められた空気の通り道又は前記蓄熱／放熱板（４）内に配置される
ことを特徴とする請求項１記載のエアコン。
【発明の詳細な説明】
【技術分野】
【０００１】
本発明は、天井埋め込み型の熱交換器（エアコン）に関する。
【背景技術】
【０００２】
一般的な天井埋め込み型のエアコンは、
（Ａ）熱交換器と、
前記熱交換器は、フィンとパイプとで形成され、前記パイプ内を冷熱媒体が循環し、
（Ｂ）換気手段と、
前記換気手段は、大気から空気を吸い込み、吸い込んだ空気を前記熱交換器を介して放出し、
（Ｃ）ケースと、
前記ケースは、吸入口と吹出口を具備し、前記熱交換器と前記換気手段とを収納し、
（Ｄ）蓄熱／放熱板と、
前記蓄熱／放熱板は、前記ケースの前壁から離れた位置に配置される、
を有する。
【０００３】
従来の熱交換器（エアコン）は、1個の熱交換モジュールと、交流電流駆動のファンと、上部部分、下部部分、側面に配置される吹出口とを有する。
この従来の熱交換器の欠点の一例は、ファンが嵩張り、熱交換器が厚くなること、騒音が大きいこと、エネルギー消費が大きいこと、強制空気と熱交換器と間の熱交換性能が最適化されていないこと、側面からの吹出口は前面のそれよりも効率的ではないことである。
【０００４】
【特許文献１】ヨーロッパ特許第１８７８９８７号明細書
【特許文献２】特開平１１−１４８７１１号
【０００５】
特許文献１は、天井に取り付けられるエアコンを開示する。このエアコンは、熱交換器と換気手段とを有する温度調節ユニットと、前記ユニットの出口に配置される拡散チェンバと、前記チェンバに近い場所に配置されるファイバ製の発熱用の空気透過プレートとを有する。
特許文献２は、隣接して配置された２個のファンと、前記ファンの列の各側面に配置された２個の熱交換モジュールと、ファンの側面に配置された２個の送風口とを有する天井埋め込み型のエアコンを開示する。
【発明の概要】
【発明が解決しようとする課題】
【０００６】
本発明の目的は、上記のタイプの熱交換器の欠点を解決することである。即ち、装置を薄くし、ノイズレベルを低下させ、エネルギー消費を押さえることである。吸引された強制空気と熱交換器との間の流れを最適にすることにより、熱交換性能を改善することである。
【課題を解決するための手段】
【０００７】
本発明のエアコンは、以下の特徴を有する換気手段を具備する。前記換気手段は、複数のプロペラ・ファンで形成され、前記複数のファンは、直流電流で駆動され、前記ケースの前壁の中心を挟んで隣接して配置され、前記前壁の吹出口に直交する方向を向いている。
この様な構成により、空気を吸引し易く、強制空気の良好な分布と、ノイズ性能の向上と、熱交換器を薄くすることができ、更にエネルギーを節約することができる。これは、１２−２４Ｖ又は４８Ｖの直流電流で駆動され、交流電流駆動のファンの電力消費を半分にすることができる。
【０００８】
本発明のエアコンは、以下の特徴を有する熱交換器を具備する。前記熱交換器は、複数の熱交換モジュールで形成され、前記複数の熱交換モジュールは、前記換気手段の側面に並列に配置される。
この様な構成により、吸い上げられた全ての空気が熱交換器の表面全体を通過し、更に放熱器の壁が従来の放熱器のそれに近い場合には、より通過し易い。更に水を冷熱媒体と使用できることは、環境保護の観点から好ましく、かくしてヒートポンプによる冷却媒体の注入量を減らし、それがリークする量も減らし、更に本発明の熱交換器はこの種の流体も使用することができる。
【０００９】
本発明のエアコンは、以下の特徴を有する蓄熱／放熱板を具備する。前記蓄熱／放熱板は、前記ケースの前壁から離れた位置に配置され、前記熱交換器により冷却又は暖められた空気を、前記ケースの周囲と前記蓄熱／放熱板の周囲の間の空間から拡散することができる。
この様な構成により、室内への空気の拡散が良好となり、蓄熱板により放出される熱の調整が良好となる。更に従来の熱伝達ではなく自然対流による空気循環により、床と天井に対し理想的な温度分布を与え、より居心地の良さとエネルギー節約が可能となる。
【００１０】
本発明の一実施例によれば、
前記蓄熱／放熱板は、金属、ガラス、プラスチック材料のいずれかの材料で形成され、装飾的表面を呈することができる。
前記換気手段であるファンは、前記ケースにゴム製のブロックで取り付けられ、前記吹出口をカバーするシリコン製シートを貫通する。後者の機能は、気密性の維持と振動の防止である。
前記熱交換モジュールは、複数のパイプを有し、第１のパイプは、冷熱媒体の熱により暖められ、第２のパイプは、冷熱媒体の冷気により冷やされ、前記パイプの自由端は、四方向バルブに連結されている。
前記吸入口は、フィルタを具備し、前記フィルタは、前記ケース内で、前記前記蓄熱／放熱板の底部から離れた位置で、かつ前記ケースが取り付けられる壁から離れて配置されており、前記吸引ヘッドは、軸方向に伸びた溝を具備し、室内の真空クリーナーのチューブに直接連結されている。この構成により、フィルタを分解せずに、保守を容易に行うことができる。
【００１１】
エアコンのケースは、四角形又は長方形のいずれかでもよく、長方形の場合には、垂直方向あるいは水平方向のいずれにも配置できる。
上記の特徴による利点は、
ユニットの重さを減らすことができること、
取り付けが簡単となること、
高温用、低温用、極低温用の発電機に取り付けることができること
にある。
【００１２】
本発明の目的は、様々な形状の部品の選択と、サイズと、配置位置により達成できる。
後部部分（壁に面した部分）に配置される吸入口と送風口との間の空気の流路は完全に新規な物であり、容積を最大限に利用し、熱交換を最適にし、更に乱流の生成を最小にできる。熱交換器の吸入口と吹出口の配置及び蓄熱プレートのファンの適宜の配置により、所望の結果を得ることができる。
【００１３】
本発明の換気手段は、遠心ファンあるいはクロス・フローファンを具備した従来のシステムに比べて、エネルギー消費が少なく、エアコンを薄く（１２０ｍｍ以下）でき、更にノイズレベルも低くすることができる。
【００１４】
蓄熱プレートにより大きな線形の空気拡散が得られる。このプレートの周囲は、非常に低速の水平方向の流れを引き起こし、空気の流れがない（送風口は０．５ｍ／ｓ以下）により、快適となる。
【００１５】
この蓄熱プレートは以下の機能を有する。
複数のファンを隠すことができること、
前記ファンによる空気の流れによる騒音を吸収できること、
冷熱の吸収部分を回復できること、
空気流をプレートの周囲で線形かつ均一にすることができること、
送風口での空気の吹き出し速度を減らすことができること、
空気の通過により引き起こされる空気流の影響とノイズレベルを大幅に減らすことができること、
ラジエータの装飾用の支持部材として機能することができる（容易に交換可能である）こと。
【００１６】
快適性が、前面送風により増加する。これにより、フィルタ内の静かな風の拡散が可能となる。フィルタを分解することなくアクセスでき洗浄が容易となるが、これは真空掃除機に取り付けられるノズルによって可能となる。エアコンの保守が容易に出来ない主な理由は、それらを洗浄するためのフィルタシステムを分解しなければならないことによる。
【００１７】
前面にある蓄熱フェースは、全ての構造物を置換せずに、交換可能であり、ラジエータのデザインを変更することができる。
【００１８】
このラジエータは、等重量の２個の取り外し可能な部品により形成されており、これにより搭載が容易となる。
【００１９】
この２つの部品の一体性は、２個のロッキングレバーの手段で確実に行うことができ、かくして組立が容易となる。
【図面の簡単な説明】
【００２０】
【図１】本発明のラディエタの断面図。
【図２】ラディエタの上面図。
【図３】フロントプレートを外した状態のラディエタの上面図。
【図４】アッパーケースを外した状態のラディエタの上面図。
【図５】フィルタに対し動作中の本発明の吸引ヘッドの斜視図。
【発明を実施するための形態】
【００２１】
本発明の一実施例によれば、本発明の天井埋め込み型のエアコンは、
（Ａ）熱交換器１と、
（Ｂ）換気手段２と、
（Ｃ）ケース３と、
（Ｄ）蓄熱／放熱板４と、
を有する。
前記熱交換器１は、フィン１１とパイプ１２とで形成され、前記パイプ１２内を冷熱媒体が循環し、
前記換気手段２は、大気から空気を吸い込み、吸い込んだ空気を前記熱交換器１を介して放出し、
前記ケース３は、吸入口３１と吹出口３２を具備し、前記熱交換器１と前記換気手段２とを収納し、
前記換気手段２は、複数のファン２で形成され、
前記複数のファン２は、直流電流で駆動され、前記ケース３の前壁３３の中心にして隣接して配置され、前記前壁３３の吹出口３２に直交する方向を向いており、
前記熱交換器１は、複数の熱交換モジュール１３，１４で形成され、
前記複数の熱交換モジュール１３，１４は、前記換気手段２の側面に並列に配置され、
前記吸入口３１は、前記熱交換モジュール１３，１４の外側に配置され、      前記蓄熱／放熱板４は、前記ケース３の前壁３３から離れた位置に配置され、前記熱交換器１により冷却又は暖められた空気を、前記ケース３の周囲３４と前記蓄熱／放熱板４の周囲の間の空間から拡散する。
本発明の更なる特徴は、
前記蓄熱／放熱板４は、金属、ガラス、プラスチック材料のいずれかの材料で形成される。
前記換気手段２は、前記ケース３にゴム製のブロック５で取り付けられ、前記吹出口３２をカバーするシリコン製シート６を貫通する。
前記熱交換モジュール１３，１４にそれぞれ付属するパイプ１２は、互いに端部で連結されている。
前記パイプ１２の自由端は、モーター駆動の四方向バルブ１５に連結されている。
前記熱交換モジュール１３，１４は、複数のパイプ１２を有し、
第１のパイプ１２は、冷熱媒体の熱により暖められ、
第２のパイプ１２は、冷熱媒体の冷気により冷やされ、
前記パイプ１２の自由端は、四方向バルブに連結されている。
前記吸入口３１は、フィルタ１０を具備し、
前記フィルタ１０は、前記ケース３内で、前記前記蓄熱／放熱板４の底部から離れた位置で、かつ前記ケース３が取り付けられる壁９から離れて配置されており、
前記吸引ヘッド７は、軸方向に伸びた溝７１を具備し、室内の真空クリーナーのチューブ７２に直接連結されている。
【００２２】
本発明の一実施例によれば、本発明の天井埋め込み型のエアコンは、
（Ｅ）凝縮液回収翼３６を更に具備し、
前記凝縮液回収翼３６は、前記熱交換モジュール１３，１４の前面のトレイ３７に凝縮液を排出する。
本発明の一実施例によれば、本発明の天井埋め込み型のエアコンは、
（Ｆ）手動又は自動の温度調整手段を更に有し、
前記温度調整手段は、以下の条件に応じて動作する、
（ｉ）大気と基準温度との間の温度差、
（ｉｉ）吸引空気の温度が大気温以下の時には、暖房モードの換気を停止するような換気速度、
（ｉｉｉ）前記モーター駆動の四方向バルブの状態。
本発明の一実施例によれば、本発明の天井埋め込み型のエアコンは、
（Ｇ）電気による補助加熱装置を更に有し、
前記電気による補助加熱装置は、暖められた空気の通り道又は前記蓄熱／放熱板４内に配置される。
【００２３】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００２４】
１  熱交換器
２  換気手段
３  ケース
４  蓄熱／放熱板
５  ゴム製のブロック
６  シリコン製シート
７  吸引ヘッド
９  天井
１０  フィルタ
１１  フィン
１２  パイプ
１３，１４  熱交換モジュール
１５  四方向バルブ
２１  除去手段
３１  吸入口
３２  吹出口
３３  前壁
３４  周囲
３５
３６  凝縮液回収翼
３７  トレイ
７１  溝
７２  チューブ
【図１】
2012530893.tif 000003
【図２】
2012530893.tif 000004
【図３】
2012530893.tif 000005
【図４】
2012530893.tif 000006
【図５】
2012530893.tif 000007
【国際調査報告】
2012530893.tif 000008
2012530893.tif 000009
2012530893.tif 000010
2012530893.tif 000011
2012530893.tif 000012
2012530893.tif 000013